(57)【要約】【課題】椅子の腰部支え装置を提供する。【解決手段】背板基礎フレームの対向両側の周りの所定範囲において、間隔／または非間隔に少なくとも一つの呼応した移動制限単元を延設し、それぞれに形成していて、かつ適度な弾性を有する背板両側の周りを挟持し、背板基礎フレームに組み付けられた背板は、両側の移動制限単元が上下に移動するときに、所望な前方への突き出し、所定高さの腰部支え区域を形成して、凭れるときに、適切な弾性効果を達成できる。【選択図】図４
2017176456.tif 000002
【特許請求の範囲】
【請求項１】
椅子の腰部支え装置であって、前記椅子の後部側の腰部支え区域が使用するときに便利な高さ調整と、快適な凭れを提供する主な手段は、前記椅子の座部に沿って、後部側に中空状の背板基礎フレームを形成し、前記背板基礎フレームの対向両側の周りの所定範囲において、間隔／または非間隔に少なくとも一つの呼応した移動制限単元を延設し、それぞれに形成している背板両側の周りを挟持し、前記背板基礎フレームに組み付けられた前記背板は、両側の前記移動制限単元が上下に移動するときに、所望な前方への突き出し、所定高さの前記腰部支え区域を形成して、凭れるときに、適切な弾性効果を達成できることを特徴とする、椅子の腰部支え装置。
【請求項２】
前記背板基礎フレーム２つの対向側周りに延設された前記移動制限単元は、前記移動制限単元の取り付けに供えて、前記背板基礎フレームの所定範囲に収容空間を凹設し、前記移動制限単元は、滑りレールと、挟持具と、連結部材より構成され、前記滑りレールの中間部セクションに溝孔部を貫設して、前記連結具の一端に延在する突起部の装着に供え、前記滑りレールの内側に空間を凹設し、前記空間一側の周りに間隔／または非間隔に少なくとも一つのまたはそれ以上の凹部を凹設し、前記連結具は前記空間に沿って移動することができ、前記連結具一側に間隔に形成して、常時に外部に突き出す係止部が前記滑りレールの呼応する前記凹部によって一時制限を受け、前記滑りレールの前記溝孔部より突き出す前記連結具の突起部は、前記滑りレール外部側に係止する前記挟持具が対応する前記凹部に切り込むことができ、引き続き、締結素子が順を追って前記連結具と、前記挟持具の呼応する孔部に挿入したうえ締結し、２つの構成品に方位制限を形成させる、前記挟持具の一側に切り欠きに凹設する係止セクションを形成し、牽制された前記挟持具が上下に移動するときに、上方セクションが方位支えを受けた適度な弾性を有する前記背板の両側の周りを挟持して置くことを特徴とする、請求項１記載の椅子の腰部支え装置。
【請求項３】
前記移動制限単元に含む前記滑りレールの外側に係止する前記挟持具の所定セクションに区間を凹設して、前記滑りレールの周りに沿って、安定に必要な移動を図ることを特徴とする、請求項１記載の椅子の腰部支え装置。
【発明の詳細な説明】
【技術分野】
【０００１】
本発明は椅子の腰部支え装置に関する。主に背板基礎フレームの所定範囲に組み付けられた制限単元を上下に移動し、椅子に結合していて、独立形態を形成する背板の呼応セクションを前方へ突き出させて、着座すると使用者の身長に合わせて、高さを適宜に調整することができ、快適な凭れを享受することができる。
【背景技術】
【０００２】
既存の椅子は使用者が着座したときに背中部と腰部に快適な凭れを提供するため、一般としては、椅子４０の座部１０の後部側に所定の幅と、ヒトの体の背中部プロフィールに合わせた背もたれ２０（図１に示す）を結合されている。この種の椅子４０は使用のときに、確かに快適な背中部の接触機能を提供できる。残念ながら、背もたれ２０のプロフィールは一般に固定した形態で改変することはできなく、身長が異なる使用者の腰部には背もたれ２０の突き出し位置に合わせて、快適な接触はできない。使用者それぞれの腰部に快適な凭れを希望する場合には、個人に適した幅とプロフィールの腰凭れ３０を背もたれ２０所定の高さに結合させない限り、個人の必要に応じて、腰凭れ３０を適切に上下方位の調整ができない。
【発明の概要】
【発明が解決しようとする課題】
【０００３】
この種の方法は、使用者が希望した背中部に快適な接触を達成できる。しかし、市販の背もたれの幅／またはプロフィールは、必ずしも使用者の椅子の背もたれの幅と同じくないため、使用のときに一部が広すぎ／または狭すぎる状況を発生してしまう。発明人が本案において、この種の腰部に快適な接触をもたらす椅子の腰部支え部材を新たに設計し、利用者が座れた後に利用者の高さに合わせて、より適切な調整ができると共に、快適な接触を提供する。
【課題を解決するための手段】
【０００４】
本発明は、椅子の背もたれの所定高さに設けられた腰部支え装置が使用するときの上下調整の不便について改善するものである。椅子の背板基礎フレームの対向両側の周りの所定範囲において、間隔／または非間隔に少なくとも一つの呼応した移動制限単元を延設し、それぞれに形成していて、かつ適度な弾性を有する背板所定セクション両側の周りを挟持し、背板基礎フレームに組み付けられた背板は、両側の移動制限単元が上下に移動するときに、所望な前方への突き出し、所定高さの腰部支え区域を形成して、凭れるときに、適切な弾性効果を維持できる。
【０００５】
本発明の主な目的は、椅子の腰部支え装置を提供する。椅子の後部側の腰部支え区域が使用するときに便利な高さ調整と、快適な凭れを提供する。主な手段は、椅子の座部に沿って、後部側に中空状の背板基礎フレームを形成し、背板基礎フレームの対向両側の周りの所定範囲において、間隔／または非間隔に少なくとも一つの呼応した移動制限単元を延設し、それぞれに形成していて、かつ適度な弾性を有する背板両側の周りを挟持し、背板基礎フレームに組み付けられた背板は、両側の移動制限単元が上下に移動するときに、所望な前方への突き出し、所定高さの腰部支え区域を形成して、凭れるときに、適切な弾性効果を達成できる。
【０００６】
本発明の第２目的は、背板基礎フレーム２つの対向側周りに延設された移動制限単元は、前述移動制限単元の取り付けに供えて、背板基礎フレームの所定範囲に収容空間を凹設し、係る移動制限単元は、滑りレールと、挟持具と、連結部材より構成する。そのうち、滑りレールの中間部セクションに溝孔部を貫設して、連結具の一端に延在する突起部の装着に供え、前述滑りレールの内側に空間を凹設し、係る空間一側の周りに間隔／または非間隔に少なくとも一つのまたはそれ以上の凹部を凹設し、連結具は空間に沿って移動することができ、連結具一側に間隔に形成して、常時に外部に突き出す係止部が前述滑りレールの呼応する凹部によって一時制限を受け、滑りレールの溝孔部より突き出す連結具の突起部は、滑りレール外部側に係止する挟持具が対応する凹部に切り込むことができ、引き続き、締結素子が順を追って連結具と、挟持具の呼応する孔部に挿入した上締結し、２つの構成品に方位制限を形成させる、挟持具の一側に切り欠きに凹設する係止セクションを形成し、牽制された挟持具が上下に移動するときに、上方セクションが方位支えを受けた適度な弾性を有する背板の両側の周りを挟持して置く。
【０００７】
本発明の第３目的は、移動制限単元に含む滑りレールの外側に係止する挟持具の所定セクションに区間を凹設して、滑りレールの周りに沿って、安定に必要な移動を図る。
【図面の簡単な説明】
【０００８】
【図１】公知の椅子と腰凭れとの組立態様図である。
【図２】本発明の椅子と、背板と、その移動制限単元の構成品の分解図である。
【図２Ａ】図２のＡ部位に示す拡大詳細図である。
【図３】本発明の椅子と、背板と、その移動制限単元とを組み立てた立体外観図である。
【図４】本発明の椅子と、背板と、その移動制限単元の構成品の背面分解図である。
【図５】本発明の椅子と、背板と、その移動制限単元とを組み立てた背面立体図である。
【図６】本発明の椅子と、背板と、その移動制限単元とを組み立てた側面図である。
【図６Ａ】図６のＡ部位に示す断面拡大詳細図である。
【図７】本発明の椅子の背板が移動制限単元を上にめくり上げて、背板をやや上向きに突き出して支えを示す側面図である。
【図７Ａ】図７のＡ部位に示す断面詳細図である。
【発明を実施するための形態】
【実施例】
【０００９】
本発明の椅子の腰部支え装置（図２に示す）は、椅子５の後部側の腰部支え区域が使用するときに便利な高さ調整及び快適な凭れを提供する主な手段は、椅子５の座部１に沿って、後部側に中空状の背板基礎フレーム２を形成し、背板基礎フレーム２の対向両側の周りの所定範囲において、間隔／または非間隔に少なくとも一つの呼応した移動制限単元３（図５に示す）を延設し、それぞれに形成している背板４両側の周りを挟持し、背板４の上方セクションに方位支えをする。そのうち、ここで言う背板４の上方セクションは、所定範囲に突き出す少なくとも一つの案内部が背板基礎フレーム２に呼応して凹設された空間に対して、上下移動の支えとする（この部分は図示していない）。ただし、この部分は本案が主張する手段ではない。
【００１０】
前段に引き続き、背板基礎フレーム２の２つの対向側周りに延設された移動制限単元３（図４に示す）は、背板基礎フレーム２の所定範囲に収容空間を凹設して、前述移動制限単元３の取り付けに備える。係る移動制限単元３は、滑りレール３１と、挟持具３２と、連結部材３３より構成する（図２Ａに示す）。そのうち、滑りレール３１の中間部セクションに溝孔部３１１を貫設して、連結具３３の一端に延在する突起部３３１の装着に供えることと、前述滑りレール３１の内側に空間３１２を凹設し、係る空間３１２一側の周りに間隔／または非間隔に少なくとも一つのまたはそれ以上の凹部３１３を凹設し、連結具３３は空間に沿って移動することができ（図６Ａと図７Ａに示す）、連結具３３一側に間隔を形成して、常時に外部に突き出す係止部３３２が前述滑りレール３１の呼応する凹部３１３によって一時制限を受け、滑りレール３１の溝孔部３１１より突き出す連結具３３の突起部３３１は、滑りレール３１外部側に係止する挟持具３２が対応する凹部３２１に切り込むことができ、引き続き、締結素子３４が順を追って連結具３３と、挟持具３２の呼応する孔部３３３、３２に挿入した上締結し、２つの構成品に方位制限を形成させる、挟持具３２の一側に切り欠きに凹設する係止セクション３２３を形成し、牽制された挟持具３２が上下に移動するとき（図６、図７に示す）に、上方セクションが方位支えを受けた適度な弾性を有する背板４両側の周りを挟持して置く。
【００１１】
前述移動制限単元３に含む滑りレール３１外側に係止される挟持具３２の所定セクションに区間３２４を凹設し、安定に滑りレール３１が呼応する周りに必要な移動を行う、係る移動制限単元３を背板基礎フレーム２に凹設された収容空間２１に取り付けるときは、締結素子３１４が順を追って、滑りレール３１と収容空間２１の孔部３１５、２１１に挿入したうえ締付けて置き（図４に示す）、移動制限単元３を背板基礎フレーム２の２つの対向側周りの所定範囲に組み付ける（図５に示す）。
【００１２】
前述したそれぞれ椅子５の背板基礎フレーム２の２つの呼応する移動制限単元３を背板４の上下方位の挟持手段は（図５、図６に示す）、挟持具３２一側の係止セクション３２３を背板４両側（図３に示す）に嵌め込み、挟持具３２が滑りレール３１に沿って上下移動するときに（図６、図７に示す）上方セクションが方位の支えを受けて、適度な弾性を有する背板４の両側の周りを挟持し、両側の挟持具３２支えを受ける係るセクションの背板４が所望に前方へ突き出させて、所定高さの腰部支え区域４１（図６Ａ及図７Ａに示す）を形成し、身長の異なる使用者が入椅子５に腰掛けた後に、腰部及び背中部に適切な凭れ効果を形成する。
【符号の説明】
【００１３】
（公知技術）
１０              座面
２０              背もたれ
３０              腰凭れ
４０              椅子
（本考案）
１              座面
２              背もたれ板基礎フレーム
２１              収容空間
２１１、３１５、３２２、３３３            孔部
３              移動制限単元
３１              滑りレール
３１１  溝孔部
３１２  空間
３１３  凹部
３１４、３４  締付け素子
３２    挟持具
３２１  凹部
３２３  係止セクション
３２４  区間
３３    連結具
３３１  突起部
３３２  係止部
４      背もたれ板
４１    腰部支え区域
５      椅子
【図１】
2017176456.tif 000003
【図２】
2017176456.tif 000004
【図２Ａ】
2017176456.tif 000005
【図３】
2017176456.tif 000006
【図４】
2017176456.tif 000007
【図５】
2017176456.tif 000008
【図６】
2017176456.tif 000009
【図６Ａ】
2017176456.tif 000010
【図７】
2017176456.tif 000011
【図７Ａ】
2017176456.tif 000012
【手続補正書】
【提出日】平成29年4月17日(2017.4.17)
【手続補正１】
【補正対象書類名】特許請求の範囲
【補正対象項目名】全文
【補正方法】変更
【補正の内容】
【特許請求の範囲】
【請求項１】
椅子の腰部支え装置であって、前記椅子の後部側の腰部支え区域が使用するときに便利な高さ調整と、快適な凭れを提供する主な手段は、前記椅子の座部に沿って、後部側に中空状の背板基礎フレームを形成し、前記背板基礎フレームの対向両側の周りの所定範囲において、相対する移動制限単元を少なくとも一対延設し、それぞれに形成している背板両側の周りを挟持し、前記背板基礎フレームに組み付けられた前記背板は、両側の前記移動制限単元が上下に移動するときに、所望な前方への突き出し、所定高さの前記腰部支え区域を形成して、凭れるときに、適切な弾性効果を達成でき、
前記背板基礎フレーム２つの対向側周りに延設された前記移動制限単元は、前記移動制限単元の取り付けに供えて、前記背板基礎フレームの所定範囲に収容空間を凹設し、前記移動制限単元は、滑りレールと、挟持具と、連結具より構成され、前記滑りレールの中間部セクションに溝孔部を貫設して、前記連結具の一端に延在する突起部の装着に供え、前記滑りレールの内側に空間を凹設し、前記空間一側の周りに等間隔／または不等間隔に少なくとも一つのまたはそれ以上の凹部を凹設し、前記連結具は前記空間に沿って移動することができ、前記連結具一側に等間隔に形成して、常時に外部に突き出す係止部が前記滑りレールの呼応する前記凹部によって一時制限を受け、前記滑りレールの前記溝孔部より突き出す前記連結具の突起部は、前記滑りレール外部側に係止する前記挟持具が対応する前記挟持具の凹部に切り込むことができ、引き続き、締結素子が順を追って前記連結具と、前記挟持具の呼応する孔部に挿入したうえ締結し、２つの構成品に方位制限を形成させる、前記挟持具の一側に切り欠きに凹設する係止セクションを形成し、牽制された前記挟持具が上下に移動するときに、上方セクションが方位支えを受けた適度な弾性を有する前記背板の両側の周りを挟持して置くことを特徴とする、椅子の腰部支え装置。
【請求項２】
前記移動制限単元に含む前記滑りレールの外側に係止する前記挟持具の所定セクションに区間を凹設して、前記滑りレールの周りに沿って、安定に必要な移動を図ることを特徴とする、請求項１記載の椅子の腰部支え装置。